(57)【要約】ワイヤレス通信装置で再セグメント化されたデータ送信の欠落データをレポートするための方法が開示される。方法は、再セグメント化されたプロトコル・データ・ユニット（ＰＤＵ）の再セグメント化された最終ＰＤＵが受信されていないと判断することを含む。最終ＰＤＵセグメントが受信されなかったと判断することに応答して、方法は、受信ワイヤレス通信装置でステータスレポートを生成することを含む。ステータスレポートは、少なくとも再セグメント化された最終ＰＤＵセグメントで搬送されるバイトのシーケンスを開始する元のＰＤＵからのバイト位置を特定する開始セグメントオフセット値と、終端セグメント不明インジケータとを含む。
2010541397.tif 000002
【特許請求の範囲】
【請求項１】
ワイヤレス通信装置における再セグメント化されたデータ送信の欠落データをレポートするための方法であって、
再セグメント化されたプロトコル・データ・ユニット（ＰＤＵ）の再セグメント化された最終ＰＤＵセグメントが受信されていないと判断すること、
前記最終ＰＤＵセグメントが受信されていないと判断することに応答して、受信ワイヤレス通信装置においてステータスレポートを生成すること
を備え、前記ステータスレポートが、
少なくとも前記再セグメント化された最終ＰＤＵセグメントにおいて搬送されるバイトのシーケンスを開始する元のＰＤＵからのバイト位置を識別する開始セグメントオフセット値と、
終端セグメント不明インジケータと
を含む、方法。
【請求項２】
最終セグメントフラグを有するＰＤＵセグメントが受信されていないと判断することにより、前記再セグメント化された最終ＰＤＵが受信されていないと判断することをさらに備える、請求項１に記載の方法。
【請求項３】
前記終端セグメント不明インジケータが、不明の終端セグメントオフセットＩＤである、請求項１に記載の方法。
【請求項４】
前記終端セグメント不明インジケータが不明のセグメント長である、請求項１に記載の方法。
【請求項５】
前記再セグメント化されたＰＤＵの少なくとも一部が最終セグメントフィールドを含まない、請求項１に記載の方法。
【請求項６】
再セグメント化されたＰＤＵのプロトコル・データ・ユニット・セグメントを再送信するための方法であって、
再セグメント化されたＰＤＵを送信することに応答して、開始オフセットインジケータと終端オフセット不明インジケータとを含むＰＤＵステータスレポートを受信すること、
前記ステータスレポートの前記開始オフセットインジケータによって示されるバイトで始まるペイロードを有する前記ＰＤＵセグメントを再送信すること
を備える方法。
【発明の詳細な説明】
【技術分野】
【０００１】
本開示は一般にワイヤレス通信に関し、より詳細にはプロトコル・データ・ユニットのためのステータスレポートに関する。
【背景技術】
【０００２】
３ＧＰＰ仕様においては、無線リンク制御（ｒａｄｉｏ  ｌｉｎｋ  ｃｏｎｔｒｏｌ：ＲＬＣ）プロトコル層が、無線インタフェースを介したプロトコル・データ・ユニット（ｐｒｏｔｏｃｏｌ  ｄａｔａ  ｕｎｉｔ：ＰＤＵ）の送達を担う。プロトコル・データ・ユニットとは、無線で送信されるデータパケットのユニット部分のことである。信頼できるＰＤＵ送達を確実に行うために、肯定応答モードを使用してもよい。このモードでは、受信機が、ＰＤＵの受信成功を示すステータスレポートを送信する。受信機からのステータスレポートをトリガするために、ポーリングビットをＲＬＣ  ＰＤＵヘッダに含めたり、ポーリング制御ＰＤＵを送信したりすることは公知である。
【０００３】
一部のワイヤレス通信プロトコルでは、ＰＤＵが最初の送信で正常に受信されなかった場合に、ＲＬＣ層がそのＰＤＵを再セグメント化することができる。再セグメント化は、元のＰＤＵセグメントを複数のＰＤＵセグメントに分割した後、各ＰＤＵセグメントを個別に再送信することによって達成される。元のＰＤＵは可変長であってよく、再セグメント化された各ＰＤＵセグメントが可変長であっても（すなわち、他のＰＤＵセグメントの長さと異なっていても）よい。各ＰＤＵセグメントは、サブシーケンス番号によって、または元のＰＤＵに対応するセグメントの最初のバイト位置によって特定することができる。
【０００４】
このように、受信機がＰＤＵセグメントの正常受信または損失を示す必要がある場合には、以下の二つの方法のいずれかによって、それを行うことができる。つまり、最初と最後のバイト位置を、それらがセグメント化されていない元のＰＤＵに対応するように各ＰＤＵセグメントに含める方法か、ＰＤＵセグメントの最初のバイト位置と長さとを含めることによってＰＤＵセグメントを特定する方法である。再セグメント化されたＰＤＵを受信機が再構築するのを支援するために、ＰＤＵの最終セグメントは、「最終セグメントフラグ（ｌａｓｔ  ｓｅｇｍｅｎｔ  ｆｌａｇ）」（ＬＳＦ）を含むのが典型的である。
【０００５】
再セグメント化と可変長セグメントは、データＰＤＵの最終セグメントが送信中に失われると、再送信されるべきデータ・ユニット・セグメントがどれなのかを送信機に報告するために受信機がセグメントの最終バイトやセグメントの長さを判断することができないという結果をもたらし得る。元のＰＤＵが最終長さインジケータを含まず、元のＰＤＵセグメントの全長が受信機には不明であることから、特にこのような結果になりやすい。そのため、最終セグメントフィールド（ＬＳＦ）が受信されていないと受信機が判断した場合、受信装置は、データが不完全であることは把握するものの、欠落している部分を送信機に正確に中継することはできない。従って、効率的なメカニズムを特定して、再セグメント化されたＰＤＵの欠落データのＩＤをレポートすることにはメリットがある。
【図面の簡単な説明】
【０００６】
【図１】再セグメント化されたプロトコル・データ・ユニットの一実施形態を表す図である。
【図２】ステータスレポートの一実施形態を表す図である。
【図３】ステータスレポートの別の実施形態を表す図である。
【発明を実施するための形態】
【０００７】
本開示の各種態様、特徴、および効果は、以下に示す本開示の詳細な説明を添付図面と共に慎重に考慮すれば、当業者にとって十分に明らかになるであろう。図面は、明瞭化のために単純化された可能性があり、必ずしも正規のスケールで描かれているとは限らない。
【０００８】
図１は、第３世代パートナーシッププロジェクト（Ｔｈｉｒｄ  Ｇｅｎｅｒａｔｉｏｎ  Ｐａｒｔｎｅｒｓｈｉｐ  Ｐｒｏｊｅｃｔ：３ＧＰＰ）通信システムで用いられるプロトコル・データ・ユニット（ＰＤＵ）１００の一実施形態を示す。ＰＤＵは、複数のＰＤＵセグメントに再セグメント化（すなわち分割）されている。本実施形態において、ＰＤＵ  １００は、第１のＰＤＵセグメント１０１、第２のＰＤＵセグメント１０２、および第３のＰＤＵセグメント１０３という３つのセグメントに再セグメント化されている。第３の（すなわち最終の）ＰＤＵセグメント１０３は、本実施形態において、最終セグメントフィールド（ＬＳＦ）１０５（最終セグメントフラグとも称される）を含み、これが元の（Ｏｒｉｇｉｎａｌ）ＰＤＵ  １００の最終セグメントであることを受信機に示すとともに、同セグメントの再構築を支援する。再セグメント化されたＰＤＵ最終セグメントであるセグメント、つまり本実施形態における第３のセグメントは、最終セグメントであることを示す「１」をＬＳＦに有する。残りのセグメントは、ＬＳＦ値を、最終セグメントでないことを示す「０」に設定する。そのため、残りのセグメント、すなわち第１のセグメント１０１と第２のセグメント１０２とは、ＬＳＦに「０」を有する。
【０００９】
本実施形態における基地局または移動局でＰＤＵを送信することから「送信機」と称されるエンティティは、さまざまな理由でＰＤＵ  １００を再セグメント化することにしてよい。その後送信機は、再セグメント化された新しいＰＤＵセグメントの全てが受信機で適切に受信されたかどうかを知る必要がある。一実施形態において、ＰＤＵ  １００は、以前に失敗したＰＤＵ  １００の送信試行に応答して再セグメント化されている。別の実施形態において、ＰＤＵ  １００は、無線リソース割り当てストラテジの変更のために再セグメント化されている。当業者であれば、再セグメント化の理由が重要でないことを理解するであろう。
【００１０】
元のＰＤＵ  １００のサイズは、同じである場合もあれば、ＰＤＵによって異なる場合もある。同様に、複数のＰＤＵセグメントの各ＰＤＵセグメントのサイズは、等しい場合もあれば、セグメントによって異なる場合もある。少なくともＰＤＵセグメントの長さが異なる場合には、受信装置が個々のセグメントの長さを受信前に把握していることはない。
【００１１】
本実施形態において、基地局は、通信システム用の３ＧＰＰ準拠基地局である。基地局は、ユーザ局、移動通信機器、遠隔装置、ユーザ機器（ＵＥ）、移動局（ＭＳ）、モバイル機器等とも称されるワイヤレス通信装置とも通信する。基地局とＭＳとは、互いの間でデータを交換する。交換するデータは、音声通信データやユーザ間で交換されるデータなどのトラフィックデータ、およびトラフィックデータと関連付けられている制御データである可能性があり、ＰＤＵと、そのＰＤＵに関連するステータスレポートとを含むことがある。
【００１２】
本実施形態において、元のＰＤＵ  １００の各ＰＤＵセグメントは、元のペイロード１０７の一部だけを搬送する。元のＰＤＵは、本実施形態におけるヘッダに、ＰＤＵを特定するシーケンス番号を含む。ペイロード１０７は、複数のＰＤＵセグメントへの再セグメント化時に複数のペイロードに分割される一連のビットである。
【００１３】
再セグメント化されたＰＤＵの各セグメントは、元のＰＤＵ  １００のシーケンス番号（ＳＮ１）１０６を含む。シーケンス番号は、各々の新しいＰＤＵセグメントのヘッダのＳＮフィールドに格納される。本実施形態においては、第１のセグメントＳＮフィールド１０６と、第２のセグメントＳＮフィールド１０８と、第３のセグメントＳＮフィールド１１０とがある。再セグメント化されたＰＤＵセグメントの各ＳＮフィールドにおいて、ＳＮ値は同じ値、すなわちＳＮ１であり、再セグメント化されたＰＤＵセグメントが元のＰＤＵ  １００に由来することを示す。
【００１４】
各ＰＤＵセグメントは、セグメント・オフセット（ｓｅｇｍｅｎｔ  ｏｆｆｓｅｔ：ＳＯ）・フィールドを含む。元のＰＤＵペイロード１０７の各バイト位置は、セグメント・オフセット・フィールドで参照されてもよい。セグメント・オフセット・フィールドの値は、ＰＤＵセグメントで搬送され、元のＰＤＵペイロード１０７から分割される開始バイトのバイト位置を示す。本実施形態において、オフセット値は、元のＰＤＵペイロードの最初のバイトと関連しており、最初のバイトはオフセット値ゼロを有する。別の実施形態において、オフセット値は、元のＰＤＵの最初のバイトと関連しており、最初のバイトはオフセット値ゼロを有し、元のＰＤＵペイロード１０７の最初のバイトは、ゼロより大きな数値を有する。そのため、ＰＤＵペイロード１０７の各バイトは、ペイロードが再セグメント化時に分割された後に特定のバイトを特定するために、セグメントオフセット番号、すなわちその番号と関連付けられているＳＯｉを有する。セグメント・オフセット・フィールドは、元のＰＤＵペイロード１０７のバイト位置のオフセットに対応するオフセット値を搬送する。この値は、ＰＤＵセグメントが、セグメントオフセット値ＳＯｉを有するバイトから始まるペイロードの部分を搬送することを示す。
【００１５】
例えば、元のＰＤＵ  １００は、ペイロード１０７で搬送された０〜１００バイトを有し得る。第１のＰＤＵセグメント１０１は、セグメントオフセット開始フィールド（ＳＯｉ）の値として「０」を有し、このセグメントは、最初のバイト「０」から始まる元のペイロード１０７の一部を搬送する。同様に、第２のＰＤＵセグメント１０２は、第２のオフセット開始フィールドの値として「３３」を有し、このセグメントが、セグメントオフセット「３３」に位置するバイトから始まる元のペイロード１０７の一部を搬送する。第３のＰＤＵセグメント１０３は、第３のオフセット開始フィールドの値として「６５」を有し、このセグメントが、セグメントオフセット「６５」に位置するバイトから始まる元のペイロード１０７の一部を搬送する。
【００１６】
受信機におけるＰＤＵの配置を送信機に示すために、受信装置はステータスレポートを送信機に返送する。ＰＤＵステータスレポートの一例が図２に示されている。ステータスレポート２００は、ＰＤＵの送信機によってリクエストされてよく、受信機によって自動的に生成されてもよい。再セグメント化されたＰＤＵの送信時に受信機でデータが欠落している場合、受信機はデータが受信されなかったことを送信機に示す。
【００１７】
本実施形態において、方法は、少なくとも最終セグメントが受信されていないと判断することを含む。一実施形態において、受信機は、ＬＳＦが「１」に設定されているセグメントを受信していないということにより、最終セグメントが受信されていないと判断する。最終セグメント以外のセグメントも欠落している場合がある。本実施形態において、例えば残りの欠落データセグメントは、第１のＰＤＵセグメント１０１、第２のＰＤＵセグメント１０２、または第３のＰＤＵセグメント１０３のいずれかまたはそれらの一部である可能性がある。ＰＤＵセグメント全体、または１つ以上のセグメントの一部が欠落または不完全である可能性もある。そのため、受信機は、ＬＳＦを有するセグメント、すなわちＬＳＦの値が「１」であるセグメントが受信されていない場合に、再セグメント化されたＰＤＵの最終セグメントが受信されていないと判断する。受信されたＰＤＵセグメントが最終セグメントであるという表示（ｉｎｄｉｃａｔｉｏｎ）を受信しなければ、受信機は、最終セグメントの終端バイトがどれか、あるいは最終セグメントの長さがどれだけかといったことが把握できず、したがって再セグメント化された元のＰＤＵの長さを把握できない。
【００１８】
受信した最終ＰＤＵセグメントのセグメントオフセット値を判断したら、次のステップは、受信装置においてステータスレポートを生成することを含み、レポートは、開始シーケンスオフセット値４０２を含む。開始シーケンスオフセット値は、欠落ＰＤＵセグメントの最初のバイトを識別し、本実施形態においては最終ＰＤＵセグメントを識別する。一実施形態において、開始シーケンスオフセット値４０２は、前のＰＤＵセグメントから最後に受信した終端セグメントオフセット値に基づいて判断される。例えば、前の終端セグメントオフセット値が「３２」であれば、欠落ＰＤＵセグメントの開始値は「３３」である。換言すれば、欠落セグメントの開始オフセット値は、最後に受信したＰＤＵセグメントで受信した終端セグメントオフセットに１を加えることによって判断される。この例におけるステータスレポートは、第２のオフセット開始フィールドにおいて「３３」という値を搬送する。
【００１９】
ステータスレポートは、終端セグメント不明インジケータ２０４をさらに含む。図２に示す一実施形態において、終端セグメント不明インジケータは、最終バイト不明インジケータ２０４である。これは、セグメントの最終バイトが不明であることを送信機に示すもので、ＳＯｉｘによって表すことができる。一実施形態において、セグメントの最終バイトが不明である場合、このフィールドは「０」という値を含み、すなわちＳＯｉｘ＝０である。
【００２０】
図３に示す別の実施形態において、終端セグメント不明インジケータは、セグメント長不明インジケータ３０２である。本実施形態において、ＰＤＵステータスレポートは、前述の実施形態で述べたオフセット開始フィールドを特定する開始シーケンスオフセット値４０２と、セグメント長不明インジケータ３０２  Ｌｉとを含む。「０」という値は、識別された欠落セグメントの長さが不明であることを示す。
【００２１】
ステータスレポートの受信に対し、送信機は、欠落データユニットを再送することによって応答する。本実施形態において、再セグメント化されたＰＤＵのプロトコル・データ・ユニット・セグメントを再送信するための方法は、再セグメント化されたＰＤＵの送信に対してＰＤＵステータスレポートを受信することを含む。ステータスレポートは、開始オフセットインジケータと終端オフセット不明インジケータとを含むか、または開始オフセットインジケータとセグメント長不明インジケータとを含む。その後送信機は、ステータスレポートの開始オフセットインジケータによって表されるバイトで始まるペイロードを有するＰＤＵセグメントを再送信する。
【００２２】
以上、本開示およびその最良の形態を、所有権を確立し、当業者が同じものを製作し使用することが可能になる方法で記載してきたが、本開示にて開示される例示的な実施形態の等価物があり、本発明の範囲および技術思想を逸脱しない範囲でそれに対する修正および改変が施されてもよく、それは例示的な実施形態によってではなく、添付の請求の範囲によって制限されるべきであることは理解されよう。
【図１】
2010541397.tif 000003
【図２】
2010541397.tif 000004
【図３】
2010541397.tif 000005
【国際調査報告】
2010541397.tif 000006
2010541397.tif 000007